(57)【要約】      （修正有）【課題】錘本体部が回転するような外力が作用した場合であっても、ライン糸に糸ヨレ等のライントラブルを生じ難く、また当たり時の振動が手元に伝わり易い中錘の取り付け構造を提供する。【解決手段】錘本体部１２と、錘本体部１２に設けられ、所定の幅寸法及び長さ寸法を有する溝部１３と、溝部１３の長さ方向両端部に設けられ、溝部１３の長さ方向外方に向かって突出する一対の突起部１６，１７と、溝部１３の幅方向寸法と略同一の径寸法に形成され、溝部１３内に配置され、錘本体部１２の外方へ突出しうる長さ寸法を有し、内部にライン糸１１を挿通しうる管部材１８と、略円筒状の弾性部材により形成され、管部材１８に着脱可能に取り付けられると共に、上記一対の突起部の先端部を夫々の一端部から挿入することによって、管部材１８を錘本体部１２に固定しうる一対の固定用管部材２３，２４とを備え、管部材１８に、ライン糸１１を摺動可能に挿通することにより、錘本体部１２が釣具の仕掛けに取り付けられた構成とする。【選択図】図２
0003147404.tif 000002
【実用新案登録請求の範囲】
【請求項１】
釣具の仕掛けにおいてライン糸に取り付けられる中錘の取り付け構造であって、
錘本体部と、上記錘本体部に設けられ、所定の幅寸法及び長さ寸法を有する溝部と、上記溝部の長さ方向両端部に設けられ、上記溝部の長さ方向外方に向かって突出する一対の突起部と、
上記溝部の幅方向寸法と略同一の径寸法に形成され、上記溝部内に配置され、上記錘本体部の外方へ突出しうる長さ寸法を有し、内部にライン糸を挿通しうる管部材と、
略円筒状の弾性部材により形成され、上記管部材に着脱可能に取り付けられると共に、上記一対の突起部の先端部を夫々の一端部から挿入することによって、上記管部材を上記  錘本体部に固定しうる一対の固定用管部材とを備え、
上記管部材に、上記ライン糸を摺動可能に挿通することにより、上記錘本体部が釣具の仕掛けに取り付けられることを特徴とする中錘の取り付け構造。
【請求項２】
上記錘本体部は略長円体状に形成され、上記溝部は上記錘本体部の軸方向に沿って設けられ、
上記一対の突起部は、上記溝部の両端部に、上記錘本体部の軸方向に沿って外方突出して形成されると共に、先端部に向かって次第に細径となるテーパー状に形成され、
上記一対の固定用管部材の内周面は、反錘本体部側に向かって次第に細径となるテーパー状に形成されていることを特徴とする請求項１記載の中錘の取り付け構造。
【請求項３】
上記固定用管部材はゴム素材から形成されていることを特徴とする請求項１または２いずれか１項記載の中錘の取り付け構造。
【請求項４】
上記錘本体部が上記管部材に固定された状態において、上記ライン糸の、上記錘本体部の取り付け位置よりも先端部側には、上記錘本体部の先端部側への移動を規制しうるストッパー部材が配設されていることを特徴とする請求項1記載の中錘の取り付け構造。
【請求項５】
上記ストッパー部材は、上記ライン糸の径寸法と略同一の内径寸法を有するゴム素材の管部材で形成され、上記ストッパー部材の内部には上記ライン糸が挿通されていることを特徴とする請求項４記載の中錘の取り付け構造。
【考案の詳細な説明】
【技術分野】
【０００１】
本考案は、釣具の仕掛けにおいてライン糸に取り付けられる中錘の取り付け構造に関する。
【背景技術】
【０００２】
一般的に従来の中錘は、錘本体部の両端部にリング状部材が配設され、上記リング状部材にライン糸を結びつけることによって仕掛けに取り付けられていた。
上記錘本体部は魚種や釣り場の環境等によってウエイト交換の行う必要があるが、上記取り付け方法では、交換作業に非常に手間と時間を要するという不具合を有していた。
【０００３】
上記不具合を解決するため、取り付け及び取り外し作業が容易な中錘が流通している。
【０００４】
図４は、中錘７０をライン糸７１に取り付けた状態の全体正面図を示している。図４に示すように、中錘７０は、釣具の仕掛けにおいてライン糸７１取り付けられ、略長円体状に形成された錘本体部７２と、上記錘本体部７２の軸方向に沿って設けられた溝部７３と、上記溝部７３の長さ方向両端部に、上記錘本体部７２の軸方向に沿って外方突出して形成されると共に、先端部に向かって次第に細径となるテーパー部を有する一対の突起部７４，７５から形成されている。
また、図５は中錘７０をライン糸７１に取り付けた状態の全体側面図を示している。
上記中錘７０を仕掛けのライン糸に取り付ける場合は、図５に示すように、あらかじめライン糸７１を挿通させた一対の短円筒形のゴム素材の固定用管部材７６，７７を所定寸法離間させて配置し、上記ゴム素材の固定用管部材７６，７７の間に上記錘本体部７２を配置すると共に、上記溝部７３に、上記固定用管部材７６，７７の間のライン糸７１を嵌合させる。
上記の状態において、上記固定用管部材７６，７７の一端部７８，７９より、上記錘本体部７２の突起部７４，７５を先端部から挿入することによって、上記錘本体部７２が上記ライン糸７１の所定位置に固定されて取り付けられる。
【０００５】
上記中錘７０は、装着時に結びつけ操作が不要であり、また取り外し操作も固定用管部材７６，７７から、上記突起部７４，７５を引き抜く操作だけで、可能であるという利点を有するが、上記中錘７０は、上記固定用管部材７６，７７によって、ライン糸７１の所定位置にライン糸７１に固定されることから、錘本体部７２が回転した場合に、ライン糸７１にもそのまま上記回転が伝達され、ライン糸に糸ヨレが発生する等のライントラブルを生じ易いという不具合を有していた。
また、ライン糸７１に中錘７０の錘本体部７２が一体で固定されているため、当たり時の振動が、上記中錘７０の錘本体部７２で遮断されてしまい、手元に伝わり難いという別途の不具合をも有していた。
【考案の開示】
【考案が解決しようとする課題】
【０００６】
本考案の課題は、上記の不具合を解決し、錘本体部が回転するような外力が作用した場合であっても、ライン糸に糸ヨレ等のライントラブルを生じ難く、また当たり時の振動が手元に伝わり易い中錘の取り付け構造を提供することにある。
【課題を解決するための手段】
【０００７】
上記課題を解決するために、請求項１記載の中錘の取り付け構造にあっては、
錘本体部と、上記錘本体部の表面部に設けられ、所定の幅寸法及び長さ寸法を有する溝部と、上記溝部の長さ方向両端部に設けられ、上記溝部の長さ方向外方に向かって突出する一対の突起部と、上記溝部の幅方向寸法と略同一の径寸法に形成され、所定の長さ寸法を有する管部材と、略円筒状の弾性部材から形成され、上記管部材の外周部に摺動可能に取り付けられると共に、上記一対の突起部の先端部を夫々の一端部から挿入することによって、上記管部材を上記錘本体部に固定しうる一対の固定用管部材とを備え、上記管部材に、上記ライン糸を摺動可能に挿通することにより、上記錘本体部が釣具の仕掛けに取り付けられることを特徴とする。
【０００８】
従って、上記錘本体部が回転するような外力が作用した場合であっても、上記錘本体部と上記管部材のみが回転し、上記管部材に挿通するライン糸には上記回転が伝達されない。
また、上記ライン糸が上記管部材内で摺動可能に挿通されているため、当たり時の振動は速やかに手元に伝達される。
【０００９】
また、請求項２記載の中錘の取り付け構造にあっては、上記錘本体部は略楕円体状に形成され、上記溝部は上記錘本体部の軸方向に沿って設けられ、上記一対の突起部は、上記溝部の両端部に、上記錘本体部の軸方向に沿って外方突出して形成されると共に、先端部に向かって次第に細径となるテーパー状に形成され、上記一対の固定用管部材の内周面は、反錘本体部側に向かって次第に細径となるテーパー状に形成されていることを特徴とする。
【００１０】
従って、請求項１の作用に加え、上記錘本体部を取り付ける場合に、上記固定用管部材に上記突起部をスムーズに挿入することが可能である、
【００１１】
また、請求項３記載の中錘の取り付け構造にあっては、上記固定用管部材はゴム素材で形成されていることを特徴とする。
【００１２】
従って、請求項３の作用に加え、ゴム素材の柔軟性によって、よりスムーズに上記固定用管部材に上記突起部を挿入することが可能であると共に、ゴム素材の収縮力によって、上記中錘装着後に、上記管部材と上記錘本体部がずれることなく確実に固定される。
【００１３】
また、請求項４記載の中錘の取り付け構造にあっては、上記錘本体部が上記管部材に固定された状態において、上記ライン糸の、上記錘本体部の取り付け位置よりも先端部側には、上記錘本体部の先端部側への移動を規制しうるストッパー部材が配設されていることを特徴とする。
【００１４】
従って、上記ストッパー部材を越えて、上記中錘がハリス糸側に移動してしまう事象を防止する。
【００１５】
また、請求項５記載の中錘の取り付け構造にあっては、上記ストッパー部材は、上記ライン糸の径寸法と略同一の内径寸法を有するゴム素材の管部材で形成され、内部に上記ライン糸が挿通されていることを特徴とする。
【００１６】
従って、上記ストッパー部材をライン糸に沿って移動させることで、上記中錘の可動範囲を容易に変更することができる。
【考案の効果】
【００１７】
請求項１記載の中錘の取り付け構造にあっては、錘本体部と、上記錘本体部の表面部に設けられ、所定の幅寸法及び長さ寸法を有する溝部と、上記溝部の長さ方向両端部に設けられ、上記溝部の長さ方向外方に向かって突出する一対の突起部と、上記溝部の幅方向寸法と略同一の径寸法に形成され、所定の長さ寸法を有する管部材と、略円筒状の弾性部材から形成され、上記管部材の外周部に摺動可能に取り付けられると共に、上記一対の突起部の先端部を夫々の一端部から挿入することによって、上記管部材を上記錘本体部に固定しうる一対の固定用管部材とを備え、上記管部材に、上記ライン糸を摺動可能に挿通することにより、上記錘本体部が釣具の仕掛けに取り付けられることから、上記錘本体部が回転するような外力が作用した場合であっても、ライン糸に糸ヨレ等のライントラブルを生じ難く、また当たり時の振動が手元に伝わり易い中錘の取り付け構造を提供することが可能となる。
【００１８】
また請求項２記載の中錘の取り付け構造にあっては、上記錘本体部は略楕円体状に形成され、上記溝部は上記錘本体部の軸方向に沿って設けられ、上記一対の突起部は、上記溝部の両端部に、上記錘本体部の軸方向に沿って外方突出して形成されると共に、先端部に向かって次第に細径となるテーパー状に形成され、上記一対の固定用管部材の内周面は、反錘本体部側に向かって次第に細径となるテーパー状に形成されていることから、請求項１の効果に加え、より取り付け作業が容易な中錘の取り付け構造を提供することが可能となる。
更に請求項３記載の中錘の取り付け構造にあっては、上記固定用管部材はゴム素材で形成されていることから、請求項２の効果に加え、更に中錘の取り付け作業が容易となる。
【００１９】
また、請求項４記載の中錘の取り付け構造にあっては、上記錘本体部が上記管部材に固定された状態において、上記ライン糸の、上記錘本体部の取り付け位置よりも先端部側には、上記錘本体部の先端部側への移動を規制しうるストッパー部材が配設されていることから、請求項１の効果に加え、取り付けた中錘が所定位置を越えて移動しないため、仕掛けのバランスが不安定になり難い。
更に、請求項５記載の中錘の取り付け構造にあっては、上記ストッパー部材は、上記ライン糸の径寸法と略同一の内径寸法を有するゴム素材の管部材で形成され、内部に上記ライン糸が挿通されていることから、請求項４の効果に加え、釣場の条件の変化等、必要に応じて、中錘の可動域を容易に変更しうる中錘の取り付け構造を提供することができる。
【考案を実施するための最良の形態】
【００２０】
以下、本考案に係る中錘の取り付け構造の実施の形態について図面を用いて説明する。
図２に示すように、本実施例に係る中錘の取り付け構造１０は、釣具の仕掛けにおいてライン糸１１に取り付けられ、略長円体状に形成された錘本体部１２と、上記錘本体部１２の軸方向に沿って設けられ、所定の幅寸法及び長さ寸法を有する溝部１３と、上記溝部１３の両端部１４，１５に、上記錘本体部１２の軸方向に沿って外方突出して形成された一対の突起部１６，１７と、上記溝部１３の幅方向寸法と略同一の径寸法に形成され、上記溝部１３内に配置され、上記錘本体部１２の外方へ突出しうる長さ寸法を有し、内部にライン糸１１を挿通しうる管部材１８と、略円筒状のゴム素材から形成され、上記管部材１８に着脱可能に取り付けられると共に、図３に示すように、上記一対の突起部１６，１７の先端部１９，２０を夫々の一端部２１，２２から挿入することによって、上記管部材１８と上記錘本体部１２とを一体で固定しうる一対の固定用管部材２３，２４とを備え、上記管部材１８に、上記ライン糸１１を摺動可能に挿通することにより、上記錘本体部１２が釣具の仕掛けに取り付けられる。
また、図１に示すように、上記錘本体部１２の上記一対の突起部１６，１７は、上記溝部１３の両端部１４，１５に、上記錘本体部１２の軸方向に沿って外方突出して形成されると共に、先端部１９、２０に向かって次第に細径となるテーパー状に形成され、図２に示すように、上記一対の固定用管部材２３，２４の内周面は、反錘本体部側に向かって次第に細径となるテーパー状に形成されている。
また、図２に示すように上記錘本体部１２が上記管部材１８に固定された状態において、上記ライン糸１１の、上記錘本体部１２の取り付け位置よりも先端部側２７には、上記錘本体部１２の、先端部側２７への移動を規制しうるゴム素材の管部材からなるストッパー部材２８が配設され、上記ストッパー部材２８の内部には上記ライン糸１１が挿通されている。
【実施例】
【００２１】
上記構成における、本実施例の構成について説明する。
図１は、本実施例に係る錘本体部１２の正面図である。
図１に示すように、上記錘本体部１２は真鍮により形成され、上記溝部１３の幅寸法Ｐと深さ寸法Ｑは共に約２ｍｍに形成され、上記一対の突起部１６，１７は夫々約５ｍｍの長さ寸法Ｒを有している。
また、図２は、上記錘本体部１２をライン糸１１に取り付けた状態における正面図を示し、図３は上記錘本体部１２をライン糸１１に取り付けた状態における上記錘本体部１２の側面図を示している。
図２及び図３に示すように、上記管部材１８は、柔軟性を有する合成樹脂によって形成され、上記管部材１８の内径寸法は内部に挿通するライン糸１１の外径寸法よりも大きな寸法に形成されている。
また上記固定用管部材２３，２４は、全体細長の裁頭円錐形に形成され、一端部２１，２２の開口部２９、３０は、上記管部材１８及び上記突起部１６，１７を挿入しうる径寸法に形成され、他端部２５，２６の開口部３１、３２は、上記管部材１８を挿通しうる径寸法に形成されている。
また、上記ストッパー部材２８は上記錘本体部１２の取り付け位置より先端側２７のライン糸１１に取り付けられている。
上記ストッパー部材２８の内径寸法は上記ライン糸１１の外径寸法と略同一寸法に形成され、手指により、ライン糸１１上での取り付け位置を変更しうるように形成されている。
【００２２】
上記構成における本実施例の作用について、図面を用いて詳述する。
図２に示すように、ライン糸１１の外径寸法は、上記管部材１８の内径寸法よりも小さいことから、水流等によって上記錘本体部１２と上記錘本体部１２に固定されている上記管部材１８が回転した場合であっても、上記ライン糸１１には上記錘本体部１２と上記管部材１８の回転が直接伝達されず、上記ライン糸１１に糸ヨレ等のライントラブルが生じることがない。
また、上記ライン糸１１は上記管部材１８の内部に摺動可能に挿通されていることから、針若しくはルアー等に魚がかかった場合に、当たりの振動が上記錘本体部１２で遮断されずに、直接竿に伝達されるため、当たり振動を確実に察知することが可能となる。
また、ストッパー部材２８によって上記錘本体部１２と上記管部材１８の可動範囲が規制されるため、必要以上に上記錘本体部１２と上記管部材１８が針若しくはルアーに接近して、仕掛けのバランスを崩してしまう事象が発生することを防止し、さらに必要に応じて上記ストッパー部材２８の位置を手指で変更しうることから、仕掛けのバランス調整を容易に行うことが可能となる。
【００２３】
なお、本実施例においては、錘本体部１２の形状、溝部１３の幅寸法及び深さ寸法、及び突起部１６、１７の長さ寸法を限定したが、これらの形状、及び寸法は、ライン糸１１の種類、ルアー種別、及び釣り場環境の変化等による仕掛けの構成に応じ、適宜変更が可能であり、これらの寸法・形状を変更した場合であっても、本実施例と同様の作用効果を得ることが可能である。
また、上記錘本体部１２の材質についても、必要な重量等によって適宜選択することが可能である。
【産業上の利用可能性】
【００２４】
本考案は、釣具の仕掛けにおいてライン糸に取り付けられる中錘の取り付け構造に適用することが可能である。
【図面の簡単な説明】
【００２５】
【図１】本考案に係る中錘の取り付け構造の一実施の形態を示し、（１）は、実施例の形態における錘本体部の平面図であり、（２）は実施例の形態における錘本体部の軸方向側面図である。
【図２】本考案に係る中錘の取り付け構造の一実施の形態を示し、実施例の形態において、ライン糸に錘本体部と管部材を取り付けた状態における平面図である。
【図３】本考案に係る中錘の取り付け構造の一実施の形態を示し、実施例の形態において、ライン糸に錘本体部と管部材を取り付けた状態における上記錘本体部の側面図である。
【図４】従来の中錘をライン糸に取り付けた状態における平面図である。
【図５】従来の中錘をライン糸に取り付けた状態における錘本体部の側面図である。
【符号の説明】
【００２６】
１０  中錘の取り付け構造
１１  ライン糸
１２  錘本体部
１３  溝部
１４  溝部の端部
１５  溝部の端部
１６  突起部
１７  突起部
１８  管部材
１９  突起部の先端部
２０  突起部の先端部
２１  固定用管部材の一端部
２２  固定用管部材の一端部
２３  固定用管部材
２４  固定用管部材
２５  固定用管部材の他端部
２６  固定用管部材の他端部
２７  ライン糸の先端部側
２８  ストッパー部材
２９  固定用管部材の一端部の開口部
３０  固定用管部材の一端部の開口部
３１  固定用管部材の他端部の開口部
３２  固定用管部材の他端部の開口部
７０  中錘
７１  ライン糸
７２  錘本体部
７３  溝部
７４  突起部
７５  突起部
７６  固定用管部材
７７  固定用管部材
７８  固定用管部材の一端部
７９  固定用管部材の一端部
Ｐ  溝部の幅寸法
Ｑ  溝部の深さ寸法
Ｒ  突起部の長さ寸法
【図１】
0003147404.tif 000003
【図２】
0003147404.tif 000004
【図３】
0003147404.tif 000005
【図４】
0003147404.tif 000006
【図５】
0003147404.tif 000007